(57)【特許請求の範囲】
【請求項１】
ウェブの両端に第１，２フランジを有する断面Ｈ形状に形成され、水平方向に所定間隔置きに立設される複数のパネル支持フレームと、相隣るパネル支持フレーム間に配置される壁パネルと、前記パネル支持フレームの第２フランジと前記壁パネルの一側端部との間に前記パネル支持フレームの縦長方向に沿って配置されるパネル取付金具とを備えている壁パネルの取付構造において、
前記パネル取付金具が弾性を有する金属板材からなって、前記パネル支持フレームのウェブに対向するウェブと、このウェブの一端縁に折曲げ連設され前記パネル支持フレームの第１フランジに前記壁パネルの一側端部を介して対向する第１フランジと、この第１フランジの突出端から該第１フランジの外側に折り返されて前記壁パネルの一側端部の内面に弾性当接する第１折返板と、前記ウェブの他端縁に折曲げ連設され前記パネル支持フレームの第２フランジの内面に弾性当接する第２フランジとを有する形に形成され、前記第１折返板を前記壁パネルの一側端部の内面側にセルフドリルビスで固定していることを特徴とする、壁パネルの取付構造。
【請求項２】
前記パネル取付金具の第２フランジが、この第２フランジの突出端から該第２フランジの外側に折り返され前記パネル支持フレームの第２フランジの内面に弾性当接する第２折返板を備えている、請求項１記載の壁パネルの取付構造。
【請求項３】
ウェブの両端に第１，２フランジを有する断面Ｈ形状に形成され、水平方向に所定間隔置きに立設されるパネル支持フレームの前記第２フランジと、相隣るパネル支持フレーム間に配置される壁パネルの一側端部との間に、前記パネル支持フレームの縦長方向に沿って配置されるパネル取付金具において、
弾性を有する金属板材からなって、前記パネル支持フレームのウェブに対向するウェブと、このウェブの一端縁に折曲げ連設され前記パネル支持フレームの第１フランジに前記壁パネルの一側端部を介して対向する第１フランジと、この第１フランジの突出端から該第１フランジの外側に折り返されて前記壁パネルの一側端部の内面に弾性当接しセルフドリルビスで固定される第１折返板と、前記ウェブの他端縁に折曲げ連設され前記パネル支持フレームの第２フランジの内面に弾性当接する第２フランジとを有する形に形成されていることを特徴とする、パネル取付金具。
【請求項４】
前記パネル取付金具の第２フランジが、この第２フランジの突出端から該第２フランジの外側に折り返され前記パネル支持フレームの第２フランジの内面に弾性当接する第２折返板を備えている、請求項３記載のパネル取付金具。
【発明の詳細な説明】
【技術分野】
【０００１】
本発明は、立体駐車場など建物の手摺パネル等の壁パネルの取付構造およびパネル取付金具に関する。
【背景技術】
【０００２】
従来、この種の壁パネルの取付構造として、たとえば、図６に示すように、駐車場の周囲に断面Ｈ形状のパネル支持フレーム２０が所定間隔置きに立設される。各パネル支持フレーム２０のウェブ２１の両側に断面略山形状のパネル取付金具２２，２２が配置される。その際、パネル取付金具２２の第１フランジ２３がパネル支持フレーム２０の第１フランジ２４に対し或る間隔を置いて平行に配置され、第２フランジ２５がウェブ２１に沿うように配置される。第１フランジ２３，２４間に壁パネル２６の一側端部２６ａを挿入した状態で、第２フランジ２５及びウェブ２１にボルト２７を貫通してナット２８に締結する。これにより、パネル取付金具２２の第２フランジ２５先端の当接部２９をウェブ２１に圧接させつつ、両パネル取付金具２２，２２をウェブ２１側に押圧させることにより、パネル取付金具２２の第１フランジ２３により壁パネル２６の一側端部２６ａをパネル支持フレーム２０の第１フランジ２４側に押圧して固定する、というものがある（特許文献１参照）。これによれば、壁パネル２６の取付時に外部足場を必要とせず、建物の内部から安全に取付作業を行える。
【０００３】
【特許文献１】特開２００２−１４６９５６号公報
【発明の開示】
【発明が解決しようとする課題】
【０００４】
しかるに、パネル支持フレーム２０のウェブ２１にボルト２７を貫通させて壁パネル２６を取付ける上記壁パネル取付構造では、ウェブ２１にボルト通し孔３０を設ける必要があり、それだけ取付作業が煩わしく多くの手間と時間がかかり、壁パネル２６の取付作業性の低下を来たす。また、建物の振動によりボルト２７・ナット２８の締付けが緩み、壁パネル２６のがたつきが生じ易いという問題がある。
【０００５】
本発明は、このような問題点を解決するためになされたものであり、その目的とするところは、上記のような、断面Ｈ形状のパネル支持フレームに対し壁パネルの一側端部をパネル取付金具をもって固定する壁パネル取付構造において、パネル取付金具それ自体の断面形状に工夫を凝らすことによりパネル支持フレームへのボルト通し孔加工を省略できて工期の短縮化を図れ、また従来のボルト・ナットの緩み問題を解消できて常に安定かつ確実強固な取付状態を確保できる壁パネルの取付構造およびパネル取付金具を提供することにある。
【課題を解決するための手段】
【０００６】
本発明の壁パネルの取付構造は、請求項１に記載するように、その発明の内容を理解しやすくするために図１〜図５に示した符号を参照して説明すると、ウェブ（４）の両端に第１，２フランジ（５），（６）を有する断面Ｈ形状に形成され、水平方向に所定間隔置きに立設される複数のパネル支持フレーム（１）と、相隣るパネル支持フレーム（１），（１）間に配置される壁パネル（２）と、パネル支持フレーム（１）の第２フランジ（６）と壁パネル（２）の一側端部（２ａ）との間にパネル支持フレーム（１）の縦長方向に沿って配置されるパネル取付金具（３）と、を備えている壁パネルの取付構造において、  前記パネル取付金具（３）が弾性を有する金属板材からなって、パネル支持フレーム（１）のウェブ（４）に対向するウェブ（７）と、このウェブ（７）の一端縁に折曲げ連設されパネル支持フレーム（１）の第１フランジ（５）に壁パネル（２）の一側端部（２ａ）を介して対向する第１フランジ（８）と、この第１フランジの突出端から該第１フランジの外側に折り返されて壁パネル（２）の一側端部（２ａ）の内面に弾性当接する第１折返板（９）と、前記ウェブ（７）の他端縁に折曲げ連設されパネル支持フレーム（１）の第２フランジ（６）の内面に弾性当接する第２フランジ（１０）とを有する形に形成され、前記第１折返板（９）を壁パネル（２）の一側端部（２ａ）の内面側にセルフドリルビス（１１）で固定していることに特徴を有するものである。
【０００７】
このような構成によれば、パネル支持フレームの第２フランジと壁パネルの一側端部との間でパネル取付金具が第１フランジと第１折返板との折畳み角度を縮小するよう弾性変形し、この弾性復元作用によりパネル取付金具の第２フランジがパネル支持フレームの第２フランジに対し強く突っ張るとともに、パネル取付金具の第１折返板が壁パネルの一側端部をパネル支持フレームの第１フランジの内面に強く押し付け固定する取付状態が得られる。したがって、前述した従来のボルト・ナットの締付けによる取付強度と同等もしくはそれ以上の取付強度を得るとともに、パネル支持フレームへのボルト通し孔加工を省略できて工期の短縮化を図れ、また従来のようなボルト・ナットの緩み問題を解消できて常に安定かつ確実強固な取付状態を確保できる。
パネル取付金具の弾性復元作用により第２フランジがパネル支持フレームの第２フランジに対し強く突っ張るとともに、パネル取付金具の第１折返板が壁パネルの一側端部をパネル支持フレームの第１フランジの内面に強く押し付け固定することにより、壁パネルが外方から風荷重（正圧）を受けて内方へ押し動かされるようなことがあっても第１フランジと第１折返板の反発力で押し返すため、壁パネルはパネル支持フレーム内でがたつくようなことがない。
また、パネル取付金具の第１折返板は壁パネルの一側端部の内面側にセルフドリルビスで固定することによりパネル取付金具がパネル支持フレームの第２フランジと壁パネルの一側端部との間から外方へずれ動くのを防止できる。
【０００８】
請求項１記載の壁パネルの取付構造は、請求項２に記載するように、前記パネル取付金具（３）の第２フランジ（１０）が、この第２フランジの突出端から該第２フランジの外側に折り返され前記パネル支持フレーム（１）の第２フランジ（６）の内面に弾性当接する第２折返板（１２）を備えたものとすることができる。これによりパネル取付金具がパネル支持フレームの第２フランジと壁パネルの一側端部との間においても第２フランジと第２折返板との折畳み角度を縮小するよう弾性変形し、第１フランジと第１折返板との折畳み角度を縮小する弾性変形と相俟って弾性復元作用が増大する。したがって、壁パネルが外方から風荷重を受けて内方へ押されるようなことがあってもパネル取付金具の第１フランジと第１折返板による反発力と第２フランジと第２折返板による反発力とで強く押し返すため、壁パネルのパネル支持フレーム内でのがたつきをより確実に防止することができる。
【０００９】
本発明のパネル取付金具は、請求項３に記載するように、ウェブ（４）の両端に第１，２フランジ（５），（６）を有する断面Ｈ形状に形成され、水平方向に所定間隔置きに立設されるパネル支持フレーム（１）の前記第２フランジ（６）と、相隣るパネル支持フレーム（１），（１）間に配置される壁パネル（２）の一側端部（２ａ）との間に、パネル支持フレーム（１）の縦長方向に沿って配置されるパネル取付金具（３）において、
弾性を有する金属板材からなって、パネル支持フレーム（１）のウェブ（４）に対向するウェブ（７）と、このウェブの一端縁に折曲げ連設されパネル支持フレーム（１）の第１フランジ（５）に壁パネル（２）の一側端部（２ａ）を介して対向する第１フランジ（８）と、この第１フランジの突出端から該第１フランジの外側に折り返されて壁パネル（２）の一側端部（２ａ）の内面に弾性当接しセルフドリルビス（１１）で固定される第１折返板（９）と、前記ウェブ（７）の他端縁に折曲げ連設されパネル支持フレーム（１）の第２フランジ（６）の内面に弾性当接する第２フランジ（１０）とを有する形に形成されていることに特徴を有するものである。
【００１０】
このような構成のパネル取付金具によれば、このパネル取付金具がパネル支持フレームの第２フランジと壁パネルの一側端部との間に配置されることにより第１フランジと第１折返板との折畳み角度を縮小するよう弾性変形し、この弾性復元作用によりパネル取付金具の第２フランジがパネル支持フレームの第２フランジに対し強く突っ張るとともに、パネル取付金具の第１折返板が壁パネルの一側端部をパネル支持フレームの第１フランジの内面に強く押し付け固定する取付状態が得られる。したがって、前述した従来のボルト・ナットの締付けによる取付強度と同等もしくはそれ以上の取付強度を得るとともに、パネル支持フレームへのボルト通し孔加工を省略できて工期の短縮化を図れ、また従来のようなボルト・ナットの緩み問題を解消できて常に安定かつ確実強固な取付状態を確保できる。
パネル取付金具の弾性復元作用により第２フランジがパネル支持フレームの第２フランジに対し強く突っ張るとともに、パネル取付金具の第１折返板が壁パネルの一側端部をパネル支持フレームの第１フランジの内面に強く押し付け固定する壁パネル取付状態が得られる。これにより、壁パネルが外方から風荷重（正圧）を受けて内方へ押し動かされるようなことがあっても第１フランジと第１折返板の反発力で押し返すため、壁パネルがパネル支持フレーム内でがたつくのを防止できる。
また、パネル取付金具の第１折返板は壁パネルの一側端部の内面側にセルフドリルビスで固定されると、パネル取付金具がパネル支持フレームの第２フランジと壁パネルの一側端部との間から外方へずれ動くのを防止できる。
【００１１】
請求項３記載のパネル取付金具（３）は、請求項４に記載するように、前記パネル取付金具（３）の第２フランジ（１０）が、この第２フランジの突出端から該第２フランジの外側に折り返され前記パネル支持フレーム（１）の第２フランジ（６）の内面に弾性当接する第２折返板（１２）を備えたものとすることができる。これによりパネル取付金具がパネル支持フレームの第２フランジと壁パネルの一側端部との間においても第２フランジと第２折返板との折畳み角度を縮小するよう弾性変形することになり、第１フランジと第１折返板との折畳み角度を縮小する弾性変形と相俟って弾性復元作用が増大する。したがって、壁パネルが外方から風荷重を受けて内方へ押されるようなことがあってもパネル取付金具の第１フランジと第１折返板による反発力と第２フランジと第２折返板による反発力とで強く押し返すことになるため、壁パネルのパネル支持フレーム内でのがたつきをより確実に防止できることになる。
【発明の効果】
【００１２】
本発明の壁パネルの取付構造およびパネル取付金具によれば、パネル支持フレームへのボルト通し孔加工を省略できて工期の短縮化を図れ、また従来のボルト・ナットの緩み問題を解消できて常に安定かつ確実強固に壁パネルをパネル支持フレームに取付けることができる。
【発明を実施するための最良の形態】
【００１３】
本発明の好適な実施形態を図面に基づき説明する。図１は本発明の一実施例を示す壁パネルの取付構造の断面図、図２はパネル取付金具の断面図である。
【００１４】
本発明に係る壁パネル取付構造の全体的構成は、図６に示す従来例のものと同様であって、図１に示すように、立体駐車場等の建物において水平方向に所定間隔置きに立設されるH形鋼からなる複数のパネル支持フレーム１（図１ではパネル支持フレーム１を１本のみ示す。）と、相隣るパネル支持フレーム１，１間に配置されるサンドイッチパネルからなる手摺壁等の壁パネル２と、各パネル支持フレーム１内に該パネル支持フレーム２の縦長方向に沿って配置されるパネル取付金具３とを備える。
【００１５】
各パネル支持フレーム１は、ウェブ４の両端に第１，２フランジ５，６を有する断面Ｈ形状に形成され、建物に対し第１フランジ５を外側に、第２フランジ６を内側にして設置される。
【００１６】
パネル取付金具３は、薄い鋼板（例えば、０．５ｍｍ厚）など弾性を有する金属板材からなり、図２に示すように、ウェブ７と、このウェブ７の一端縁に略直角に折曲げ連設された第１フランジ８と、この第１フランジ８の突出端から該第１フランジ８の外側に該第１フランジ８の長さより長く折り返された第１折返板９と、ウェブ７の他端縁に第１フランジ８と同じ方向に略直角に折曲げ連設された第２フランジ１０とを有する断面形状に形成される通し材からなる。なお、第１折返板９の突出端縁９ａは外側に折り返している。
取付け前におけるパネル取付金具３の第１折返板９の突出端縁９ａと第２フランジ１０間の間隔寸法Ｈ（図２参照）は、パネル支持フレーム１内に壁パネル２をこれの一側端部２ａの外面が第１フランジ５の内面に接触するように納めた場合に形成される、壁パネル２の一側端部２ａ内面と第２フランジ６内面間の間隙の寸法Ｗ（図１参照）より大きくなるよう設定されている。
【００１７】
次に、水平方向に所定間隔置きに立設されたパネル支持フレーム１，１間に壁パネル２を取付ける施工要領について説明する。
先ず、パネル支持フレーム１内にパネル取付金具３がウェブ７をパネル支持フレーム１のウェブ４に或る間隔を置いて対向させ、かつ第１折返板９をパネル支持フレーム１の第１フランジ５に或る間隔を置いて対向させるとともに、第２フランジ１０をパネル支持フレーム１の第２フランジ６に対向させて当接させるようにパネル支持フレーム１の縦長方向に沿って配置される。
【００１８】
次いで、壁パネル２をこれの一側端部２ａがパネル支持フレーム１の第１フランジ５とパネル取付金具３の第１折返板９との間に入り込むように落し込む。この壁パネル２の落し込みによりパネル取付金具３はパネル支持フレーム１の第２フランジ６と壁パネル２の一側端部２ａとの間で第１フランジ８と第１折返板９との折畳み角度を縮小するよう弾性変形した状態になる。このパネル取付金具３の弾性復元作用により第２フランジ１０がパネル支持フレーム１の第２フランジ６の内面に対し弾性当接して強く突っ張るとともに、第１折返板９の突出端縁９ａが壁パネル２の一側端部２ａの内面に弾性当接して該一側端部２ａをパネル支持フレーム１の第１フランジ５の内面に強く押し付け固定する取付状態が得られる。壁パネル２の落し込み作業は建物のフロア−から行うので、外部足場を不要にして簡単に施工でき、外部足場を必要とする施工に比し大幅な工期短縮化が図れる。
最後に、第１折返板９を壁パネル２の一側端部２ａの内面側にセルフドリルビス１１で固定する。
【００１９】
壁パネル２は上記した取付け施工要領に代えて、次のような施工要領で取付けることもできる。先ず、壁パネル２をこれの一側端部２ａがパネル支持フレーム１の第１フランジ５と第２フランジ６との間に入り込むよう落し込む。次いで、パネル支持フレーム１の第２フランジ６と壁パネル２の一側端部２ａの内面との間の間隙内に対し、パネル取付金具３を、ウェブ７がパネル支持フレーム１のウェブ４に対向し、かつ第１折返板９が壁パネル２の一側端部２ａの内面に対向して弾性当接するともに、第２フランジ１０がパネル支持フレーム１の第２フランジ６に対向して弾性当接するように押し込むことによりパネル支持フレーム１の縦長方向に沿って配置する。
このようにパネル取付金具３を押し込むことによっても、パネル取付金具３はパネル支持フレーム１の第２フランジ６と壁パネル２の一側端部２ａとの間で第１フランジ８と第１折返板９との折畳み角度を縮小するよう弾性変形した状態になる。このパネル取付金具３の弾性復元作用により第２フランジ１０がパネル支持フレーム１の第２フランジ６に対し強く突っ張るとともに、第１折返板９の突出端縁９ａが壁パネル２の一側端部２ａの内面に弾性当接して該一側端部２ａをパネル支持フレーム１の第１フランジ５の内面に強く押し付け固定する取付状態が得られる。
最後に、上記取付け施工要領と同様に、第１折返板９を壁パネル２の一側端部２ａの内面側にセルフドリルビス１１で固定する。
【００２０】
上記のようにパネル取付金具３を用いて壁パネル２を取付けると、パネル取付金具３の弾性復元作用により第２フランジ１０がパネル支持フレーム１の第２フランジ６に対し強く突っ張るとともに、第１折返板９が壁パネル２の一側端部２ａをパネル支持フレーム１の第１フランジ５の内面に強く押し付け固定し、常に安定かつ確実強固な取付状態が得られる。
【００２１】
パネル取付金具３の第２フランジ１０がパネル支持フレーム１の第２フランジ６に対し強く突っ張るとともに、パネル取付金具３の第１折返板９が壁パネル２の一側端部２ａをパネル支持フレーム１の第１フランジ５の内面に強く押し付け固定するので、壁パネル２が外方（図１中、矢印Ａ方向）から風荷重を受けても第１フランジ８と第１折返板９の反発力で壁パネル２を押し返すため壁パネル２はパネル支持フレーム１内でがたつくようなことがない。
また、パネル取付金具３の第１折返板９は壁パネル２の一側端部２ａの内面側にセルフドリルビス１１で固定しているので、パネル取付金具３がパネル支持フレーム１の第２フランジ６と壁パネル２の一側端部２ａとの間から外方（図１中、矢印Ｂ方向）へずれ動くのを防止できる。パネル取付金具３は第２フランジ１０のウェブ７と連接する屈曲部１０ａをパネル支持フレーム１の第２フランジ６の内面に対し突っ掛かるため、この点でもパネル取付金具３の矢印Ｂ方向へのずれ動きを阻止することができる。
【００２２】
パネル取付金具３の断面形状としては、図３、図４に示すような断面形状に形成することもできる。図３に示すパネル取付金具３はウェブ７の他端縁に第２フランジ１０を第１フランジ８とは逆向きに略直角に折曲げ連設してある以外は、図２に示すパネル取付金具３と同様であるため、同一部分に同一符号を付してその説明を省略する。
図４に示すパネル取付金具３は第２フランジ１０の突出端から該第２フランジ１０の外側に折り返された第２折返板１２を有する形に形成してある以外は、図２に示すパネル取付金具３と同様であるため、同一部分に同一符号を付してその説明を省略する。因みに、取付け前におけるパネル取付金具３の第１折返板９の突出端縁９ａと第２折返板１２の突出端縁１２ａ間の間隔寸法Ｈ（図４参照）は、パネル支持フレーム１内に壁パネル２をこれの一側端部２ａの外面が第１フランジ５の内面に接触するように納めた場合に形成される、壁パネル２の一側端部２ａ内面と第２フランジ６内面間の間隙の寸法Ｗ（図５参照）より大きくなるよう設定されている。
【００２３】
図５に示すように、図４の第２折返板１２を有するパネル取付金具３を用いて壁パネル２をパネル支持フレーム１に上記取付け施工要領と同じ要領で取付けた場合は、第２折返板１２をパネル支持フレーム１の第２フランジ６の内面に弾性当接させることができる。これによれば、パネル取付金具３がパネル支持フレーム１の第２フランジ６と壁パネル２の一側端部２ａとの間において第２フランジ１０と第２折返板１２との折畳み角度を縮小するよう弾性変形し、第１フランジ８と第１折返板９との折畳み角度を縮小する弾性変形と相俟って弾性復元作用を増大させることができる。したがって、壁パネル２が外方（図５中、矢印Ａ方向）から風荷重を受けて内方へ押されるようなことがあってもパネル取付金具３の第１フランジ８と第１折返板９による反発力と第２フランジ１０と第２折返板１２による反発力とで強く押し返すため、壁パネル２がパネル支持フレーム１内でがたつくのをより確実に防止することができる。
【図面の簡単な説明】
【００２４】
【図１】本発明の一実施例を示す壁パネルの取付構造の断面図である。
【図２】パネル取付金具の断面図である。
【図３】他の実施例のパネル取付金具の断面図である。
【図４】更に他の実施例のパネル取付金具の断面図である。
【図５】図４のパネル取付金具を用いて取付けた壁パネルの取付構造の断面図である。
【図６】従来例の壁パネル取付構造の断面図である。
【符号の説明】
【００２５】
１  パネル支持フレーム
２  壁パネル
３  パネル取付金具
４  パネル支持フレームのウェブ
５  パネル支持フレームの第１フランジ
６  パネル支持フレームの第２フランジ
７  パネル取付金具のウェブ
８  パネル取付金具の第１フランジ
９  パネル取付金具の第１折返板
１０  パネル取付金具の第２フランジ
１１  セルフドリルビス
１２  パネル取付金具の第２折返板
【図１】
0004547347.tif 000002
【図２】
0004547347.tif 000003
【図３】
0004547347.tif 000004
【図４】
0004547347.tif 000005
【図５】
0004547347.tif 000006
【図６】
0004547347.tif 000007